(57)【要約】【課題】各デバイスにアプリケーションをインストールする際のユーザの利便性を向上させた電子機器を提供する。【解決手段】所定のアプリケーションをインストールする処理を行うインストール処理部と、前記インストール処理部によって前記所定のアプリケーションがインストールされると、他の電子機器に対する問い合わせによって前記他の電子機器に前記所定のアプリケーションがインストールされているかを確認するインストール確認部と、前記インストール確認部によって前記所定のアプリケーションはインストールされていないことが確認されると、前記所定のアプリケーションのインストールに必要な情報を前記他の電子機器に送信する情報送信部と、を備える電子機器としている。【選択図】図２
2015191421.tif 000002
【特許請求の範囲】
【請求項１】
所定のアプリケーションをインストールする処理を行うインストール処理部と、
前記インストール処理部によって前記所定のアプリケーションがインストールされると、他の電子機器に対する問い合わせによって前記他の電子機器に前記所定のアプリケーションがインストールされているかを確認するインストール確認部と、
前記インストール確認部によって前記所定のアプリケーションはインストールされていないことが確認されると、前記所定のアプリケーションのインストールに必要な情報を前記他の電子機器に送信する情報送信部と、
を備える電子機器。
【請求項２】
前記インストール処理部によって前記所定のアプリケーションがインストールされると、前記他の電子機器に対して電源状態を問い合わせる電源状態問い合わせ部を更に備え、
前記電源状態問い合わせ部による問い合わせの結果に応じて前記インストール確認部による確認が行われるか否かが切替えられることを特徴とする請求項１に記載の電子機器。
【請求項３】
前記電源状態問い合わせ部による問い合わせの結果、前記電源状態がスタンバイ状態であると、前記インストール確認部による確認が行われることを特徴とする請求項２に記載の電子機器。
【請求項４】
前記所定のアプリケーションのインストールに必要な情報は、前記所定のアプリケーションをダウンロードするためのＵＲＬ情報であることを特徴とする請求項１〜請求項３のいずれか１項に記載の電子機器。
【請求項５】
前記インストール確認部は、前記他の電子機器に対してインストール済のアプリケーションを問い合わせ、前記他の電子機器から応答として通知されたインストール済のアプリケーションに基づき前記他の電子機器に前記所定のアプリケーションがインストールされているかを確認することを特徴とする請求項１〜請求項４のいずれか１項に記載の電子機器。
【請求項６】
請求項１〜請求項５のいずれか１項に記載の電子機器と、
放送受信装置であって、放送により指定された前記所定のアプリケーションを実行可能である前記他の電子機器と、を備えることを特徴とする電子機器システム。
【発明の詳細な説明】
【技術分野】
【０００１】
本発明は、電子機器に関する。
【背景技術】
【０００２】
近年、放送と通信を連携させたサービスであるハイブリッドキャスト（Hybridcast）が開始されている（例えば、特許文献１参照）。
【０００３】
デジタル放送波には映像や音声の情報とは別に、現在の視聴番組に関連したハイブリッドキャスト対応アプリケーションに関する情報を含めることができる。当該情報には、アプリケーションの指定に関する情報、アプリケーションをダウンロードするためのＵＲＬ情報、サーバーに関する情報等が含まれる。
【先行技術文献】
【特許文献】
【０００４】
【特許文献１】特開２０１３−８５１３９号公報
【発明の概要】
【発明が解決しようとする課題】
【０００５】
しかしながら、アプリケーションを実行するためには、現在使用しているデバイスにアプリケーションがインストールされている必要がある。
【０００６】
例えば、テレビ装置とレコーダ（ＢＤ（ブルーレイディスク）レコーダやＨＤＤレコーダ等）がＨＤＭＩ（登録商標）（High-Definition Multimedia Interface）ケーブルで接続されている状態とする。この状態でレコーダのチューナから入力されている放送コンテンツやレコーダに録画済の放送コンテンツをＨＤＭＩ経由でテレビ装置によって視聴中、この放送コンテンツに対応したアプリケーションがテレビ装置にはインストールされていても、レコーダにはインストールされていない場合は、別途レコーダにアプリケーションをインストールする必要がある。
【０００７】
そして、複数のレコーダがテレビ装置にＨＤＭＩ接続されている場合は、各レコーダに一つずつユーザによってアプリケーションをインストールする必要があり、ユーザにとって手間がかかるという問題点があった。
【０００８】
上記状況に鑑み、本発明は、各デバイスにアプリケーションをインストールする際のユーザの利便性を向上させた電子機器を提供することを目的とする。
【課題を解決するための手段】
【０００９】
上記目的を達成するために本発明の一態様に係る電子機器は、
所定のアプリケーションをインストールする処理を行うインストール処理部と、
前記インストール処理部によって前記所定のアプリケーションがインストールされると、他の電子機器に対する問い合わせによって前記他の電子機器に前記所定のアプリケーションがインストールされているかを確認するインストール確認部と、
前記インストール確認部によって前記所定のアプリケーションはインストールされていないことが確認されると、前記所定のアプリケーションのインストールに必要な情報を前記他の電子機器に送信する情報送信部と、を備える構成としている。
【００１０】
このような構成によれば、自機に所定のアプリケーションがインストールされると、上記所定のアプリケーションがインストールされていない他の電子機器にも自動的に上記所定のアプリケーションをインストールさせることが可能となる。従って、ユーザは各デバイスに一つ一つアプリケーションをインストールさせる必要がなくなるので、ユーザにとっての利便性が向上される。
【００１１】
また、上記構成において、前記インストール処理部によって前記所定のアプリケーションがインストールされると、前記他の電子機器に対して電源状態を問い合わせる電源状態問い合わせ部を更に備え、前記電源状態問い合わせ部による問い合わせの結果に応じて前記インストール確認部による確認が行われるか否かが切替えられることとしてもよい。
【００１２】
このような構成によれば、他の電子機器の電源状態に応じて上記所定のアプリケーションをインストールするか否かを切替えることができる。
【００１３】
また、更に、前記電源状態問い合わせ部による問い合わせの結果、前記電源状態がスタンバイ状態であると、前記インストール確認部による確認が行われることとしてもよい。
【００１４】
このような構成によれば、他の電子機器がスタンバイ状態であり、更に上記所定のアプリケーションがインストールされていなければ、アプリケーションがインストールされる。上記他の電子機器がスタンバイ状態であるので、インストールさせても負荷は小さい。
【００１５】
また、上記いずれかの構成において、前記所定のアプリケーションのインストールに必要な情報は、前記所定のアプリケーションをダウンロードするためのＵＲＬ情報であることとしてもよい。このような構成によれば、他の電子機器に送信する情報量を抑えることができる。
【００１６】
また、上記いずれかの構成において、前記インストール確認部は、前記他の電子機器に対してインストール済のアプリケーションを問い合わせ、前記他の電子機器から応答として通知されたインストール済のアプリケーションに基づき前記他の電子機器に前記所定のアプリケーションがインストールされているかを確認することとしてもよい。
【００１７】
また、本発明の一態様に係る電子機器システムは、上記いずれかの構成の電子機器と、放送受信装置であって、放送により指定された前記所定のアプリケーションを実行可能である前記他の電子機器と、を備える構成としている。
【００１８】
このような構成によれば、他の電子機器に利便性良く所定のアプリケーションをインストールさせることができ、放送とアプリケーションを連携させたサービスを容易に受けることができる。
【発明の効果】
【００１９】
本発明によれば、各デバイスにアプリケーションをインストールする際のユーザの利便性を向上させることができる。
【図面の簡単な説明】
【００２０】
【図１】本発明の第１実施形態に係る映像音声システムの概略外観図である。
【図２】本発明の第１実施形態に係る映像音声システムのブロック図である。
【図３】本発明の第１実施形態に係るインストール処理に関するフローチャートである。
【図４】本発明の第１実施形態に係るインストール処理の一例を示すシーケンス図である。
【図５】本発明の第２実施形態に係る映像音声システムのブロック図である。
【発明を実施するための形態】
【００２１】
＜第１実施形態＞
以下に本発明の一実施形態について図面を参照して説明する。本発明の一実施形態に係る映像音声システムの全体構成を示す概略外観図を図１に示す。
【００２２】
図１に示す映像音声システムは、ＢＤレコーダ１と、ＢＤレコーダ２と、テレビ装置３とから構成される（それぞれ電子機器の一例）。ＢＤレコーダ１とテレビ装置３はＨＤＭＩケーブル４１によって、ＢＤレコーダ２とテレビ装置３はＨＤＭＩケーブル４２によってそれぞれ接続される。
【００２３】
図１に示す映像音声システムの内部構成を概略的に示すブロック図を図２に示す。図２に示すように、ＢＤレコーダ１は、放送受信部１１、信号処理部１２、ＯＳＤ（オンスクリーンディスプレイ）処理部１３、制御部１４、光ディスクドライブ１５、記憶部１６、操作入力部１７、ＨＤＤ（Hard disk drive）１８、ネットワークＩ／Ｆ（インタフェース）１９、及びＨＤＭＩ通信部２０を備えている。
【００２４】
制御部１４は、ＢＤレコーダ１の各部を統括的に制御するものであり、映像音声の再生処理、記録処理、出力処理等を制御する。制御部１４は例えば、複数のマイクロプロセッサから構成されている。
【００２５】
記憶部１６は、例えばＲＡＭ（Random Access Memory）とフラッシュメモリを含んで構成される。ＲＡＭは、例えば制御部１４によって各種情報処理が行われる際の処理データが一時的に記憶される。また、フラッシュメモリは、電源が供給されていなくても記憶データが保持される不揮発性メモリであり、例えば装置の動作設定データや、利用者固有の情報等を保存するのに用いられる。
【００２６】
操作入力部１７は、ユーザがＢＤレコーダ１に対して各種指示を行うためのものである。操作入力部１７は、例えばＢＤレコーダ１のハウジングに設けられた複数のボタンや、不図示のリモコン装置から操作信号を受信する受信部等を含む。操作入力部１７によってユーザ操作が受け付けられると、制御部１４は、操作内容に基づいて再生処理や記録処理等各種制御を行う。
【００２７】
ＨＤＤ１８は、デジタルデータを記録する磁気記録媒体である。例えば、放送波に含まれるコンテンツをＤＲ（Direct Recording）モードで録画することや、ＤＲモードでの録画データをフォーマット変換することにより生成される録画データ（以下、「変換データ」という）を記録するのに用いられる。
【００２８】
光ディスクドライブ１５は、ＤＶＤ（Digital Versatile Disc）メディア、或いはＢＤメディア等の光ディスクに対して光学的に各種データの読み取り／書き込みを行うための光学装置である。光ディスクドライブ１５は、光ピックアップ（不図示）の制御を行うことにより、光ディスクに光ビームを照射して、音声情報、映像情報等の各種情報の読み取り／書き込みを行う。この際、光ピックアップの駆動制御やフォーカス制御、或いはチルト制御等の各種制御を行う。
【００２９】
放送受信部１１は、外部のアンテナ（不図示）に接続されてデジタル放送の選局、増幅、復調等を行う。放送受信部１１は、デジタルチューナ、及び誤り訂正部等を含むように構成されている。デジタルチューナは、ベースバンド信号の生成、及び生成されたベースバンド信号の復調を行い、誤り訂正部は、復調データに対して誤り訂正を行う。これにより、ＭＰＥＧ２方式のデジタル信号であるＴＳ（Transport Stream）の取得を行う。
【００３０】
なお、ＴＳとは、コンテンツ（番組）の音声ＰＥＳ（Packetized Elementary Stream）、映像ＰＥＳ、及び付加情報を固定長のＴＳパケットに分割してつなぎ合わせたものであり、信号処理部１２へ与えられて映像／音声信号に変換される。なお、ＴＳを変換せずＨＤＤ１８へ直接記録するＤＲ録画を行う場合、信号処理部１２はＴＳのスルーのみを行う。
【００３１】
信号処理部１２は、放送受信部１１により生成されたＴＳが入力され、音声デジタル信号と映像デジタル信号とに分離する。具体的には、放送受信部１１により生成されたＴＳを、ＴＳパケットに分割する。そしてＴＳパケットを再結合することにより、音声／映像のＰＥＳを生成する。
【００３２】
そしてＰＥＳを結合することにより、ＥＳ（Elementary Stream）を生成する。さらに信号処理部１２はＥＳの復号を行い、各種デジタル信号に変換する。復号により得られたデジタル信号は、テレビ装置３へ出力する場合は、ＨＤＭＩ通信部２０へ与えられる。
【００３３】
また、録画を行う場合には、上記復号により得られたデジタル信号は、信号処理部１２により更に所定の処理が行われてＨＤＤ１８又は光ディスクドライブ１５に与えられる。再生時は、ＨＤＤ１８又は光ディスクドライブ１５から読み出されたデータが信号処理部１２により所定の処理を行われ、復号により得られたデジタル信号が出力のためＨＤＭＩ通信部２０に与えられる。
【００３４】
ＯＳＤ処理部１３は、各種ＯＳＤ画像を生成するためのものであり、例えば信号処理部１２により生成された放送の映像データに対してＯＳＤ画像データを重畳し、重畳後の映像データをＨＤＭＩ通信部２０に与える。また、例えばＯＳＤ処理部１３は、上記重畳は行わずに、メニュー画面等のＯＳＤ画像データをＨＤＭＩ通信部２０に与えることもできる。
【００３５】
ネットワークＩ／Ｆ１９は、ＢＤレコーダ１をインターネットと接続させるための物理的なインタフェースである。ネットワークＩ／Ｆ１９は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。
【００３６】
ＨＤＭＩ通信部２０は、ＨＤＭＩケーブル４１が接続されるポートを有し、ＨＤＭＩケーブル４１を介してテレビ装置３の備えるＨＤＭＩ通信部３７とＨＤＭＩ規格に準じた通信を行うものである。ＨＤＭＩでは、一本のケーブルで映像、音声、及び制御信号の送受信を行うことができる。制御信号のやり取りについては、ＨＤＭＩにおいてＣＥＣ（Consumer Electronics Control）として定義されている。また、ＣＥＣでは、メーカー独自に設定できるベンダーコマンド（Vendor Command）を利用できる。
【００３７】
なお、図２に示すようにＢＤレコーダ２については、内部構成がＢＤレコーダ１と同様であるので、ここでは各構成の機能を説明することは省略する。なお、ＢＤレコーダ２のＨＤＭＩ通信部３０は、ＨＤＭＩケーブル４２を介してテレビ装置３のＨＤＭＩ通信部３７に接続される。
【００３８】
また、図２に示すように、テレビ装置３は、放送受信部３１、信号処理部３２、ＯＳＤ処理部３３、制御部３４、記憶部３５、操作入力部３６、ＨＤＭＩ通信部３７、表示部３８、及びネットワークＩ／Ｆ３９を備えている。
【００３９】
放送受信部３１は、外部のアンテナ（不図示）からデジタル放送信号を受信し、ＴＳを生成する。信号処理部３２は、生成されたＴＳに対して各種処理を行い、映像音声のデジタル信号を生成する。生成された映像のデジタル信号は表示部２８に送られ、表示部２８に放送映像が表示される。また、生成された音声のデジタル信号は、不図示の音声出力部（スピーカ等を含む）に送られ、放送音声が発生される。
【００４０】
信号処理部３２により生成された映像信号は、ＯＳＤ処理部３３によりＯＳＤ画像が重畳され、重畳後の映像信号が表示部３８に送られる場合もある。また、重畳を行わずに、ＯＳＤ処理部３３からＯＳＤ画像が表示部３８に送られる場合もある。
【００４１】
表示部３８は、各種映像を表示するものであり、例えば液晶パネルとこれを駆動する駆動部とを含む。
【００４２】
制御部３４は、テレビ装置３の各部を統括的に制御する制御装置である。記憶部３５は、制御部３４のワークメモリとして用いられたり、各種設定情報等が記憶されたりする。操作入力部３６は、テレビ装置３にユーザからの指示を与えるためのものであり、テレビ装置３の筐体に備えられる各種ボタンや、不図示のリモコン装置からの操作信号を受信する受信部を含む。
【００４３】
ネットワークＩ／Ｆ３９は、テレビ装置３をインターネットに接続させるための物理インタフェースであり、例えば有線ＬＡＮや無線ＬＡＮに接続可能となっている。
【００４４】
ＨＤＭＩ通信部３７は、ＢＤレコーダ１のＨＤＭＩ通信部２０に接続されるＨＤＭＩケーブル４１が接続されるポート３７Ａと、ＢＤレコーダ２のＨＤＭＩ通信部３０に接続されるＨＤＭＩケーブル４２が接続されるポート３７Ｂを有している。これにより、ＨＤＭＩ通信部２０、３０、３７は相互に通信が可能となっている。
【００４５】
次に、このような構成である映像音声システムにおけるアプリケーションのインストール処理に関して図３に示すフローチャート、及び図４に示すシーケンス図を用いて説明する。
【００４６】
デジタル放送波には映像音声と共にハイブリッドキャスト対応アプリケーションに関する情報（以下、アプリケーション関連情報）が含まれている。例えば、ＢＤレコーダ１の放送受信部１１がデジタル放送を受信し、信号処理部１２においてＴＳからアプリケーション関連情報が取得される。アプリケーション関連情報で指定されたアプリケーションを制御部１４が実行するためには、そのアプリケーションがＢＤレコーダ１にインストールされている必要がある。
【００４７】
アプリケーションのインストールはユーザによる手動で行うことができる。例えば、信号処理部１２により取得されたアプリケーション関連情報に基づきＯＳＤ処理部１３がＯＳＤ画像を生成し、生成されたＯＳＤ画像がＨＤＭＩ通信部２０を介してテレビ装置３に送られ、表示部３８にＯＳＤ画像が表示される。ここでのＯＳＤ画像は、例えばアプリケーションの選択肢が表示されたものである。
【００４８】
ここで、ユーザが操作入力部１７によりアプリケーションを選択すると、制御部１４はアプリケーション関連情報に含まれたダウンロード用ＵＲＬ情報に基づき、ネットワークＩ／Ｆ１９に選択されたアプリケーションのインストール用データをダウンロードさせる。
【００４９】
そして、制御部１４は、ダウンロードされたインストール用データを実行することでインストール処理を行う。インストールはＨＤＤ１８に対して行ってもよいし、記憶部１６に対して行ってもよい。
【００５０】
このようにアプリケーションがインストールされていれば、受信された放送波にそのアプリケーションが指定されていた場合に、制御部１４がアプリケーションを実行可能となり、ハイブリッドキャストのサービスをユーザが受けることができる。
【００５１】
このようにＢＤレコーダ１に所定のアプリケーションがインストールされると、図３に示すフローチャートが開始される。図３に示すフローチャートはＢＤレコーダ１の処理を示し、ＢＤレコーダ２とテレビ装置３（対象機器）のそれぞれに対して行われる。図４に示すシーケンス図は、対象機器がＢＤレコーダ２である場合の処理を示している。
【００５２】
図３のフローチャートが開始されると、まずステップＳ１で、制御部１４は、ＨＤＭＩ通信部２０を介して対象機器に対して電源状態を問い合わせる。以下、対象機器への問い合わせ及びそれに対する応答は、ＣＥＣにおけるベンダーコマンドを利用し、ベンダーコマンドに宛先アドレスを指定することで対象機器を指定できる。宛先に指定された対象機器が問い合わせを受けた場合、その対象機器の制御部がＨＤＭＩ通信部を介して応答を返信する。
【００５３】
問い合わせの結果、電源状態がスタンバイであるという応答が対象機器からＨＤＭＩ通信部２０に返ってきた場合（ステップＳ２のＹ）、ステップＳ３に進み、制御部１４は、ＨＤＭＩ通信部２０を介して対象機器に対してインストール済のアプリケーションを問い合わせる。
【００５４】
問い合わせの結果、対象機器からその対象機器にインストール済のアプリケーションに関する情報（アプリＩＤ等）がＨＤＭＩ通信部２０に応答として返ってくると、制御部１４は、応答のあったインストール済のアプリケーションにＢＤレコーダ１にインストールされた上記所定のアプリケーションが含まれるかを判定する。
【００５５】
もし含まれていれば、上記所定のアプリケーションは対象機器にもインストール済であるとして（ステップＳ４のＹ）、処理は終了する（エンド）。一方、含まれていなければ、上記所定のアプリケーションは対象機器にはインストールされていないとして（ステップＳ４のＮ）、ステップＳ５に進む。ステップＳ５で、制御部１４は、上記所定のアプリケーションのインストール用データをダウンロードするためのＵＲＬ情報をＨＤＭＩ通信部２０を介して対象機器に対して通知する。この通知には、ＣＥＣにおけるベンダーコマンドを利用する。
【００５６】
すると、スタンバイ状態にある対象機器において、通知されたＵＲＬ情報に基づきインストール用データがネットワークＩ／Ｆによりダウンロードされ、制御部がダウンロードされたインストール用ファイルを実行してインストール処理を行う。スタンバイ状態であるので、制御部にかかる負荷を抑えることができ、対象機器の動作が不安定になることを抑止できる。なお、ＵＲＬ情報が通知されたときに既に対象機器のネットワークＩ／Ｆには電源が供給されて動作可能であってもよいし、通知された後にネットワークＩ／Ｆに電源を供給して動作可能状態に移行させてもよい。
【００５７】
一方、ステップＳ１で対象機器に電源状態を問い合わせしたが、スタンバイ以外の電源状態であることを示す応答が返ってきたり、対象機器に電源が供給されておらず応答自体が返ってこなかった場合は（ステップＳ２のＮ）、処理は終了となる（エンド）。
【００５８】
なお、テレビ装置３のＨＤＭＩ通信部３７に電源が供給されていない場合でも、ポート３７Ａとポート３７Ｂは電気的接続されているので、ＨＤＭＩ通信部２０とＨＤＭＩ通信部３０は通信することが可能である。
【００５９】
このような処理によれば、ＢＤレコーダ１に所定のアプリケーションをインストールした場合に、他の機器である対象機器にも同じ所定のアプリケーションを自動的にインストールすることが可能となるので、一つ一つユーザがデバイスにインストールする必要がなくなり、ユーザにとっての利便性を向上させることができる。
【００６０】
＜第２実施形態＞
次に、本発明の第２実施形態について説明する。第２実施形態に係る映像音声システムのブロック図を図５に示す。図５に示す映像音声システムは、ＢＤレコーダ１’と、ＢＤレコーダ２’と、テレビ装置３から構成される。なお、本実施形態では、映像音声システムがハイブリッドキャストに対応している必要は必ずしもない。
【００６１】
ＢＤレコーダ１’ とＢＤレコーダ２’の構成は、上記第１実施形態に係るＢＤレコーダ１とＢＤレコーダ２（図２）とほぼ同様であり、相違点はＢＤレコーダ１’にはカードＩ／Ｆ（カードインタフェース）５１が、ＢＤレコーダ２’にはカードＩ／Ｆ５２がそれぞれ備えられることである。カードＩ／Ｆ５１、５２には、例えばＳＤカード等のメモリカードが着脱可能である。
【００６２】
ＢＤレコーダ１’には、例えばＤＶＤメディアに記録された映像データをスマートフォン等の携帯端末での再生用に変換するアプリケーション（以下、変換用アプリケーション）をインストールすることが可能である。このような変換アプリケーションがインストールされていれば、制御部１４は、変換アプリケーションを実行することで、光ディスクドライブ１５により光ディスクから読み出された映像データを携帯端末での再生用に変換し、変換後の映像データをカードＩ／Ｆ５１に装着されたメモリカードに記憶させる。
【００６３】
これにより、ユーザはカードＩ／Ｆ５１からメモリカードを取り外し、取り外したメモリカードを携帯端末に装着することで、携帯端末において光ディスクに記録された映像と同様の映像を再生することができる。以上は、ＢＤレコーダ２’についても同様のことである。
【００６４】
このような変換用アプリケーションがＢＤレコーダ１’にインストールされると、先述した図３と同様の処理が開始される。なお、対象機器としては、テレビ装置３は変換用アプリケーションに対応していないので対象外とし、ＢＤレコーダ２’を対象機器とする。
【００６５】
図３に示す処理が進み、ＢＤレコーダ２’がスタンバイ状態であり（ステップＳ２のＹ）、ＢＤレコーダ２’に変換用アプリケーションがインストールされていないことが確認されると（ステップＳ４のＮ）、ステップＳ５で、制御部１４は、ＨＤＭＩ通信部２０を介してＢＤレコーダ２’に対して変換用アプリケーションのインストール用データのダウンロード用ＵＲＬ情報を通知する（この場合、ＢＤレコーダ１’にはネットワークＩ／Ｆ１９を介してインストール用データがダウンロードされることでインストールが行われる）。
【００６６】
すると、ＢＤレコーダ２’においては、制御部２４が通知されたＵＲＬ情報に基づきネットワークＩ／Ｆ２９を介してインストール用データをダウンロードする。そして、制御部２４は、ダウンロードされたインストール用データを実行することで変換用アプリケーションのインストールを行う。
【００６７】
このように、ハイブリッドキャスト対応アプリケーションに限らず、それ以外のアプリケーションのインストールについても、一つ一つのデバイスにインストールする必要がなくなり、ユーザの利便性が向上される。
【００６８】
以上、本発明の実施形態について説明したが、本発明の趣旨の範囲内であれば、実施形態は種々の変更が可能である。
【００６９】
例えば、図３に示す処理におけるステップＳ５では、ダウンロード用ＵＲＬ情報に限らず、例えばインストール用データ自体をＨＤＭＩ通信により対象機器へ送信してもよい。
【００７０】
また例えば、対象機器の制御部の処理能力が高い場合は、図３の処理におけるステップＳ２で、スタンバイ状態に加えて通常状態であっても、ステップＳ３に進み、結果的に制御部にインストール処理を行わせてもよい。
【００７１】
また例えば、図３の処理におけるステップＳ４で所定のアプリケーションが対象機器にインストール済でなかった場合、制御部１４は、ＯＳＤ処理部１３にＯＳＤ画像を生成させ、生成されたＯＳＤ画像をＨＤＭＩ通信部２０を介してテレビ装置３に送り、対象機器にインストールさせるか否かをユーザに選択させる画面を表示部３８に表示してもよい。ここで、操作入力部１７への操作入力によりインストールさせるか否かが選択され、インストールさせる場合はステップＳ５に進み、インストールさせない場合は処理が終了する。
【００７２】
また例えば、図３の処理におけるステップＳ３においては、所定のアプリケーションがインストールされているかを問い合わせて、対象機器からは所定のアプリケーションがインストールされているか否かの回答が返信されるようにしてもよい。
【符号の説明】
【００７３】
１、１’  ＢＤレコーダ
２、２’  ＢＤレコーダ
３  テレビ装置
１１  放送受信部
１２  信号処理部
１３  ＯＳＤ処理部
１４  制御部
１５  光ディスクドライブ
１６  記憶部
１７  操作入力部
１８  ＨＤＤ
１９  ネットワークＩ／Ｆ
２０  ＨＤＭＩ通信部
２１  放送受信部
２２  信号処理部
２３  ＯＳＤ処理部
２４  制御部
２５  光ディスクドライブ
２６  記憶部
２７  操作入力部
２８  ＨＤＤ
２９  ネットワークＩ／Ｆ
３０  ＨＤＭＩ通信部
３１  放送受信部
３２  信号処理部
３３  ＯＳＤ処理部
３４  制御部
３５  記憶部
３６  操作入力部
３７  ＨＤＭＩ通信部
３７Ａ、３７Ｂ  ポート
３８  表示部
３９  ネットワークＩ／Ｆ
４１、４２  ＨＤＭＩケーブル
５１、５２  カードＩ／Ｆ
【図１】
2015191421.tif 000003
【図２】
2015191421.tif 000004
【図３】
2015191421.tif 000005
【図４】
2015191421.tif 000006
【図５】
2015191421.tif 000007